(57)【要約】【課題】ＳＰＣＣＩ燃焼におけるスワール流を圧縮行程の後期まで維持することで、高い燃焼効率を実現することができるエンジンの燃焼室構造を提供する。【解決手段】エンジン本体の燃焼室は、ピストン５の冠面５０と、気筒の内壁面と、ペントルーフ形の天井面とによって区画されている。ピストン５の冠面５０は、椀状に凹設されてなるキャビティ５１を備える。キャビティ５１の底面は、当該キャビティ５１の最深部５１Ｂとその周辺を含む底部５１１を有する。底部５１１の曲面の曲率半径Ｒと、ピストン５の直径Ｂとは、０．０＜Ｒ／Ｂ≦２．４２の関係を満たす。【選択図】図１１
2020084793.tif 000002
【特許請求の範囲】
【請求項１】
ピストンの冠面と、前記ピストンが摺動可能に収容された気筒の内壁面と、ペントルーフ形の天井面とによって区画される燃焼室を有し、当該燃焼室の幾何学的圧縮比が１５以上であって、混合気の一部を火花点火によりＳＩ燃焼させるとともにその他の混合気を自着火によりＣＩ燃焼させる部分圧縮着火燃焼を行うエンジンの燃焼室構造であって、
前記冠面は、椀状に凹設されてなるキャビティを備え、
前記キャビティの底面は、当該キャビティの最深部とその周辺を含む中央底面を有し、
前記中央底面の曲面の曲率半径をＲ、前記ピストンの直径をＢとするとき、
０．０＜Ｒ／Ｂ≦２．４２の関係を満たす、
エンジンの燃焼室構造。
【請求項２】
請求項１に記載のエンジンの燃焼室構造において、
前記中央底面の外周縁は、上面視で円形であって、
前記中央底面の外周縁の直径をＤとするとき、
１．１９≦Ｂ／Ｄ≦２．９４の関係を満たす、
エンジンの燃焼室構造。
【請求項３】
ピストンの冠面と、前記ピストンが摺動可能に収容された気筒の内壁面と、ペントルーフ形の天井面とによって区画される燃焼室を有し、当該燃焼室の幾何学的圧縮比が１５以上であって、混合気を火花点火により燃焼させるＳＩ燃焼と、混合気の一部を火花点火によりＳＩ燃焼させるとともにその他の混合気を自着火によりＣＩ燃焼させる部分圧縮着火燃焼と、を併用して行うエンジンの燃焼室構造であって、
前記冠面は、椀状に凹設されてなるキャビティを備え、
前記キャビティの底面は、当該キャビティの最深部とその周辺を含む中央底面を有し、
前記中央底面の曲面の曲率半径をＲ、前記ピストンの直径をＢとするとき、
１．０６≦Ｒ／Ｂ≦２．４２の関係を満たす、
エンジンの燃焼室構造。
【請求項４】
請求項３に記載のエンジンの燃焼室構造において、
前記中央底面の外周縁は、上面視で円形であって、
前記中央底面の外周縁の直径をＤとするとき、
１．１９≦Ｂ／Ｄ≦２．２０の関係を満たす、
エンジンの燃焼室構造。
【発明の詳細な説明】
【技術分野】
【０００１】
本発明は、混合気の一部を火花点火によりＳＩ燃焼させるとともにその他の混合気を自着火によりＣＩ燃焼させる部分圧縮着火燃焼が可能なエンジンの燃焼室構造に関する。
【背景技術】
【０００２】
ガソリンエンジンの燃焼態様として、火花点火をきっかけに混合気の一部を火炎伝播により強制的に燃焼（ＳＩ燃焼）させ、その他の混合気を自着火により燃焼（ＣＩ燃焼）させることを企図した部分圧縮着火燃焼（ＳＰＣＣＩ燃焼）が知られている。
【０００３】
ところで、燃焼室内における混合気に対してスワール流およびタンブル流を付与することで、空気と燃料との混合性を高めることができる。特許文献１には、タンブル流の一部をインジェクタの噴口が配置された吸気口間に向けて導くために、冠面に外縁部から径方向中央部に向けて斜め上方に立ち上がる斜面が設けられたピストンが開示されている。
【０００４】
特許文献１に開示の燃焼室構造では、ピストンの冠面に設けられた斜面によりタンブル流を吸気口間に向けて導き、当該導かれたタンブル流に対して燃料噴射がなされることで、空気と燃料との混合性を高め、燃焼室の壁面への燃料付着が抑制される。
【先行技術文献】
【特許文献】
【０００５】
【特許文献１】特開２０１６−２２３４１１号公報
【発明の概要】
【発明が解決しようとする課題】
【０００６】
ところで、ＳＰＣＣＩ燃焼を行う高圧縮比エンジンでは、スワール流を圧縮行程の後期まで維持する必要があるが、この点に関して上記特許文献１に開示の構造には改善の余地がある。即ち、上記特許文献１に開示の構造では、ピストンの冠面に外縁部から径方向中央部に向けて斜め上方に立ち上がる斜面が設けられており、スワール流が冠面の径方向外側へと寄せられてしまい、圧縮行程の後期までスワール流を維持することが困難であると考えられる。
【０００７】
本発明の目的は、ＳＰＣＣＩ燃焼におけるスワール流を圧縮行程の後期まで維持することで、高い燃焼効率を実現することができるエンジンの燃焼室構造を提供することにある。
【課題を解決するための手段】
【０００８】
本発明の一局面に係るエンジンの燃焼室構造は、ピストンの冠面と、前記ピストンが摺動可能に収容された気筒の内壁面と、ペントルーフ形の天井面とによって区画される燃焼室を有し、当該燃焼室の幾何学的圧縮比が１５以上であって、混合気の一部を火花点火によりＳＩ燃焼させるとともにその他の混合気を自着火によりＣＩ燃焼させる部分圧縮着火燃焼を行うエンジンの燃焼室構造であって、前記冠面は、椀状に凹設されてなるキャビティを備え、前記キャビティの底面は、当該キャビティの最深部とその周辺を含む中央底面を有し、前記中央底面の曲面の曲率半径をＲ、前記ピストンの直径をＢとするとき、０．０＜Ｒ／Ｂ≦２．４２の関係を満たす。
【０００９】
上記のように、０．０＜Ｒ／Ｂとする、言い換えると中央底面を平面ではなく凹没された曲面とすることにより、燃焼室内で発生したスワール流をキャビティ内にガイドすることができる。よって、０．０＜Ｒ／Ｂとすることにより３．４５以上のスワール比を実現することができ、ＳＰＣＣＩ燃焼におけるスワール流を圧縮行程の後期まで維持することができる。
【００１０】
また、上記のように、Ｒ／Ｂ≦２．４２とすることにより、１５以上の幾何学的圧縮比を実現することができる。
【００１１】
従って、上記局面に係るエンジンの燃焼室構造では、幾何学的圧縮比が１５以上の高圧縮比エンジンにおいて、ＳＰＣＣＩ燃焼におけるスワール流を圧縮行程の後期まで維持することで、高い燃焼効率を実現することができる。
【００１２】
上記局面に係るエンジンの燃焼室構造において、前記中央底面の外周縁は、上面視で円形であって、前記中央底面の外周縁の直径をＤとするとき、１．１９≦Ｂ／Ｄ≦２．９４の関係を満たす、とすることができる。
【００１３】
上記のように、１．１９≦Ｂ／Ｄとすることにより１５以上の幾何学的圧縮比を実現する上で望ましい。また、上記のように、Ｂ／Ｄ≦２．９４とすることにより３．４５以上のスワール比を実現する上で望ましい。
【００１４】
本発明の一局面に係るエンジンの燃焼室構造は、ピストンの冠面と、前記ピストンが摺動可能に収容された気筒の内壁面と、ペントルーフ形の天井面とによって区画される燃焼室を有し、当該燃焼室の幾何学的圧縮比が１５以上であって、混合気を火花点火により燃焼させるＳＩ燃焼と、混合気の一部を火花点火によりＳＩ燃焼させるとともにその他の混合気を自着火によりＣＩ燃焼させる部分圧縮着火燃焼と、を併用して行うエンジンの燃焼室構造であって、前記冠面は、椀状に凹設されてなるキャビティを備え、前記キャビティの底面は、当該キャビティの最深部とその周辺を含む中央底面を有し、前記中央底面の曲面の曲率半径をＲ、前記ピストンの直径をＢとするとき、１．０６≦Ｒ／Ｂ≦２．４２の関係を満たす。
【００１５】
上記のように、１．０６＜Ｒ／Ｂとすることにより、３．４５以上のスワール比を実現することができるとともに、１．７９以上のタンブル比も実現することができる。
【００１６】
また、上記のように、Ｒ／Ｂ≦２．４２とすることにより、１５以上の幾何学的圧縮比を実現することができる。
【００１７】
従って、上記局面に係るエンジンの燃焼室構造では、幾何学的圧縮比が１５以上の高圧縮比エンジンにおいて、圧縮行程の後期までスワール流およびタンブル流を維持し、低回転域から高回転域までＳＰＣＣＩ燃焼を実現する上で必要となるスワール比およびタンブル比を確保することで、高い燃焼効率を実現することができる。
【００１８】
上記局面に係るエンジンの燃焼室構造において、前記中央底面の外周縁は、上面視で円形であって、前記中央底面の外周縁の直径をＤとするとき、１．１９≦Ｂ／Ｄ≦２．２０の関係を満たす、とすることができる。
【００１９】
上記のように、１．１９≦Ｂ／Ｄとすることにより１５以上の幾何学的圧縮比を実現する上で望ましい。また、上記のように、Ｂ／Ｄ≦２．２０とすることにより、３．４５以上のスワール比と、１．７９以上のタンブル比とを実現する上で望ましい。
【発明の効果】
【００２０】
本発明によれば、ＳＰＣＣＩ燃焼におけるスワール流を圧縮行程の後期まで維持することで、高い燃焼効率を実現することができる。
【図面の簡単な説明】
【００２１】
【図１】本発明に係る燃焼室構造が適用された部分圧縮着火式エンジンの全体構成を示すシステムズである。
【図２】前記エンジンが備える１つの気筒の模式的な斜視図である。
【図３】気筒およびその近傍の吸排気系の構造を示す概略平面図である。
【図４】エンジンの制御系統を示すブロック図である。
【図５】エンジンの運転領域を燃焼形態の相違により区分けした運転マップである。
【図６】エンジンの各運転領域で行われる燃焼制御を概略的に説明するためのタイムチャートである。
【図７】ＳＰＣＣＩ燃焼（部分圧縮着火燃焼）時の熱発生率の波形を示すグラフである。
【図８】ピストンの斜視図である。
【図９】ピストンの冠面の平面図である。
【図１０】図９のＸ−Ｘ線断面図である。
【図１１】図９のＸＩ−ＸＩ線断面図である。
【図１２】キャビティに関連する各種パラメータを付記した、ピストンの斜視図である。
【図１３】（Ａ）〜（Ｄ）は、吸気行程におけるタンブル流の流動を模式的に示す図である。
【図１４】（Ａ）〜（Ｄ）は、圧縮行程におけるタンブル流の流動を模式的に示す図である。
【図１５】（Ａ）は、図１４（Ｄ）の状態に相当する、燃焼室の模式的な断面図、（Ｂ）は、圧縮ＴＤＣにおける燃焼室の模式的な断面図である。
【図１６】（Ａ）〜（Ｄ）は、吸気行程におけるスワール流の流動を模式的に示す図である。
【図１７】（Ａ）〜（Ｄ）は、圧縮行程におけるスワール流の流動を模式的に示す図である。
【図１８】（Ａ）は、図１７（Ｄ）の状態に相当する、燃焼室内におけるスワール流の発生状態を示す模式図、（Ｂ）は、圧縮ＴＤＣでの燃焼室内におけるスワール流の発生状態を示す模式図である。
【図１９】（Ａ）は、Ｒ／Ｂとスワール比との関係を示す効果図、（Ｂ）は、Ｒ／Ｂとタンブル比との関係を示す効果図である。
【図２０】Ｒ／Ｂと幾何学的圧縮比との関係を示す効果図である。
【発明を実施するための形態】
【００２２】
以下では、本発明の実施形態について、図面を参酌しながら説明する。なお、以下で説明の形態は、本発明の一例であって、本発明は、その本質的な構成を除き何ら以下の形態に限定を受けるものではない。
【００２３】
［エンジンの全体構成］
先ず、図１に示すシステム図を参照して、本発明に係る燃焼室構造が適用された部分圧縮着火式エンジン（以下、単にエンジンという）の全体構成を説明する。
【００２４】
図１に示されるエンジンは、走行用の動力源として車両に搭載された４サイクルのガソリン直噴エンジンであり、エンジン本体１と、エンジン本体１に導入される吸気が流通する吸気通路３０と、エンジン本体１から排出される排気ガスが流通する排気通路４０と、排気通路４０を流通する排気ガスの一部を吸気通路３０に還流する外部ＥＧＲ装置４５と、エンジン本体１にガソリンを主成分とする燃料を供給するフューエルシステム１５０と、を備えている。
【００２５】
エンジン本体１は、気筒２が内部に形成されたシリンダブロック３と、気筒２を上から閉塞するようにシリンダブロック３の上面に取り付けられたシリンダヘッド４と、気筒２内に収容されたピストン５と、を有している。エンジン本体１は、典型的には複数の（例えば４つの）気筒を有する多気筒型のものであるが、図１では簡略化のため、１つの気筒２のみを図示している。図２には、１つの気筒２を模式的な斜視図にて示している。
【００２６】
ピストン５は、気筒２のボア径Ｂに対応した外径を有し、所定のストロークＳで往復摺動可能に気筒２内に収容されている。ピストン５の下方には、エンジン本体１の出力軸であるクランク軸７が設けられている。クランク軸７は、ピストン５とコネクティングロッド８を介して連結され、ピストン５の往復運動に応じて中心軸回りに回転駆動される。
【００２７】
ピストン５の上方には燃焼室６が区画されている。燃焼室６には、後述するインジェクタ１５からの噴射によって燃料が供給される。供給された燃料が燃焼室６で空気と混合されつつ燃焼し、その燃焼による膨張力で押下げられたピストン５が上下方向に往復運動する。燃焼室６を区画する燃焼室壁面は、気筒２の内壁面、ピストン５の上面である冠面５０、および、シリンダヘッド４の底面である燃焼室天井面６Ｕ（吸気バルブ１１および排気バルブ１２の各バルブ面を含む）からなる。燃焼室天井面６Ｕは、上向きに凸のペントルーフ形の形状を有している。
【００２８】
気筒２の幾何学的圧縮比、つまりピストン５が上死点にあるときの燃焼室６の容積とピストン５が下死点にあるときの容積との比は、後述するＳＰＣＣＩ燃焼（部分圧縮着火燃焼）に好適な値として、１５以上３０以下、好ましくは１５以上１８以下の高圧縮比に設定される。幾何学的圧縮比を１５以上の高圧縮比に設定することで、燃焼室６内において混合気に圧縮着火が発生し易い環境とすることができる。
【００２９】
シリンダブロック３には、クランク角センサＳＮ１および水温センサＳＮ２が組み付けられている。クランク角センサＳＮ１は、クランク軸７の回転角度（クランク角）およびクランク軸７の回転速度（エンジン回転数）を検出する。水温センサＳＮ２は、シリンダブロック３およびシリンダヘッド４の内部を流通する冷却液の温度（エンジン水温）を検出する。
【００３０】
シリンダヘッド４の燃焼室天井面６Ｕには、燃焼室６に向けて開口する吸気ポート９および排気ポート１０と、吸気ポート９を開閉する吸気弁１１と、排気ポート１０を開閉する排気弁１２と、が設けられている。本実施形態のエンジンのバルブ形式は、図２および図３に示すように、吸気２バルブ×排気２バルブの４バルブ形式である。
【００３１】
図３は、気筒２およびその近傍の吸排気系の構造を示す概略平面図である。吸気ポート９は、第１吸気ポート９Ａおよび第２吸気ポート９Ｂを有し、排気ポート１０は、第１排気ポート１０Ａおよび第２排気ポート１０Ｂを有している。吸気弁１１は、第１吸気ポート９Ａおよび第２吸気ポート９Ｂに対しそれぞれ１つずつ設けられ、排気弁１２は、第１排気ポート１０Ａおよび第２排気ポート１０Ｂに対しそれぞれ１つずつ設けられている
図３に示すように、第１，第２吸気ポート９Ａ，９Ｂのうち、第２吸気ポート９Ｂには、当該第２吸気ポート９Ｂを開閉可能なスワール弁１７が設けられている。スワール弁１７が閉方向に駆動されると、スワール弁１７が設けられていない第１吸気ポート９Ａから燃焼室６に流入する吸気の割合が増大する。このため、気筒軸ＡＸ（燃焼室６の中心軸）の周りを旋回する旋回流、つまりスワール流を強化することができる。逆に、スワール弁１７を開方向に駆動すればスワール流を弱めることができる。なお、本実施形態の吸気ポート９は、タンブル流（縦渦）を形成可能なタンブルポートである。このため、スワール弁１７の閉時に形成されるスワール流は、タンブル流とミックスされた斜めスワール流となる。
【００３２】
吸気弁１１および排気弁１２は、シリンダヘッド４に配設された一対のカム軸等を含む動弁機構１３，１４により、クランク軸７の回転に連動して開閉駆動される。吸気弁１１用の動弁機構１３には、吸気弁１１の開閉時期を変更可能な吸気ＶＶＴ１３ａが、排気弁１２用の動弁機構１４には、排気弁１２の開閉時期を変更可能な排気ＶＶＴ１４ａが、各々内蔵されている。吸気、排気ＶＶＴ１３ａ，１４ａは、いわゆる位相式の可変機構であり、吸気弁１１、排気弁１２の開時期および閉時期を同時に且つ同量だけ変更する。
【００３３】
シリンダヘッド４には、インジェクタ１５および点火プラグ１６が組み付けられている。インジェクタ１５は、フューエルシステム１５０から供給される燃料を燃焼室６に噴射する。点火プラグ１６は、インジェクタから燃焼室６に噴射された燃料と、吸気ポート９（９Ａ，９Ｂ）を通して燃焼室６に導入された空気とが混合された混合気に点火する。シリンダヘッド４には、さらに、燃焼室６の圧力（筒内圧力）を検出する筒内圧センサＳＮ３が設けられている。
【００３４】
図２に示されているように、インジェクタ１５は、燃焼室天井面６Ｕの径方向中央部であって、ペントルーフの頂部付近に先端部（噴孔）が表出するように配置されている。また、点火プラグ１６は、燃焼室天井面６Ｕにおけるペントルーフの斜面部であって、一対の吸気ポート９Ａ，９Ｂ間において先端部（電極部）が表出するように配置されている。
【００３５】
インジェクタ１５は、その先端部に複数の噴孔を有した多墳孔型のインジェクタであり、当該複数の墳孔から放射状に燃料を噴射することが可能である。図２中の符号Ｇの領域は、各墳孔から噴射された燃料の噴霧を表している。後記で詳述するが、ピストン５の冠面５０には、その径方向中央領域をシリンダヘッド４とは反対側（下方）に凹没させてなるキャビティ５１が形成されている。インジェクタ１５の先端部はキャビティ５１と対向しており、このキャビティ５１に向けて墳孔から燃料が噴射される。
【００３６】
インジェクタ１５に燃料を供給するフューエルシステム１５０は、フューエルタンク１５１、フューエルポンプ１５２、フューエルレール１５３およびパージ通路１５４を含む、フューエルタンク１５１は、燃料を貯留するタンクである。フューエルポンプ１５２は、インタンク式のポンプであり、燃料をフューエルタンク１５１からフューエルレール１５３へ送り出す。フューエルレール１５３は、各気筒２に備えられているインジェクタ１５に燃料を分配する。パージ通路１５４は、フューエルタンク１５１内で気化した燃料を回収し、吸気通路３０に導入して燃焼させるための通路である。
【００３７】
吸気通路３０は、吸気ポート９と連通するように、シリンダヘッド４の一側面に接続されている。吸気通路３０の上流端から取り込まれた空気（新気）は、吸気通路３０および吸気ポート９を通じて燃焼室６に導入される。吸気通路３０には、その上流端から順に、吸気中の異物を除去するエアクリーナ３１と、吸気の流速を調整する開閉可能なスロットル弁３２と、吸気を圧縮しつつ送り出す過給機３３と、過給機３３により圧縮された吸気を冷却するインタークーラ３５と、が設けられている。
【００３８】
吸気通路３０の適所には、吸気の流量を検出するエアフローセンサＳＮ４と、吸気の温度を検出する第１・第２吸気温センサＳＮ５，ＳＮ７と、吸気の圧力を検出する第１・第２吸気圧センサＳＮ６，ＳＮ８と、が設けられている。エアフローセンサＳＮ４および第１吸気温センサＳＮ５は、吸気通路３０におけるエアクリーナ３１とスロットル弁３２との間の部位に設けられ、当該部位を通過する吸気の流量および温度を検出する。第１吸気圧センサＳＮ６は、吸気通路３０におけるスロットル弁３２と過給機３３との間であって、後述するＥＧＲ通路４５１の接続口よりも下流側の部位に設けられ、当該部位を通過する吸気の圧力を検出する。第２吸気温センサＳＮ７は、吸気通路３０における過給機３３とインタークーラ３５との間の部位に設けられ、当該部位を通過する吸気の温度を検出する。第２吸気圧センサＳＮ８は、吸気通路３０におけるインタークーラ３５と吸気ポート９との間の吸気の圧力を検出する。
【００３９】
過給器３３は、エンジン本体１と機械的に連携された機械式の過給機（スーパーチャージャ）である。過給機３３の具体的な形式は特に問わないが、例えばリショルム式、ルーツ式、または遠心式といった公知の過給機の何れかを過給機３３として用いることができる。過給機３３には、締結と解放を電気的に切り替えることが可能な電磁クラッチ３４が付設されている。電磁クラッチ３４が締結されると、エンジン本体１から過給機３３に駆動力が伝達されて、過給機３３による過給が行われる。一方、電磁クラッチ３４が開放されると、上記駆動力の伝達が遮断されて、過給機３３による過給が停止される。
【００４０】
吸気通路３０には、過給機３３をバイパスして吸気を流通させるためのバイパス通路３６が付設されている。バイパス通路３６には、当該バイパス通路３６を開閉可能なバイパス弁３７が設けられている。バイパス通路３６は、過給機３３よりも上流側で吸気通路３０から分岐し、インタークーラ３５の下流側において吸気通路３０に合流する合流部３８を形成している。この合流部３８は、図略のサージタンクの近傍に配置される。なお、バイパス通路３６は、後述するＥＧＲ通路４５１とサージタンクとを接続する通路でもある。
【００４１】
排気通路４０は、各気筒２の排気ポート１０と排気マニホールド４１を介して連通している。各燃焼室６で生成された既燃ガスは、排気ポート１０、排気マニホールド４１および排気通路４０を通じて外部に排出される。排気通路４０には、排気ガスの流通方向における上流側、下流側に、各々上流触媒コンバータ４２、下流触媒コンバータ４３が設けられている。上流触媒コンバータ４２には、三元触媒４２１およびＧＰＦ（ガソリン・パティキュレート・フィルタ）４２２が備えられている。三元触媒４２１は、排気通路４０を流通する排気ガス中に含まれる有害成分（ＨＣ、ＣＯ、ＮＯＸ）を捕集する。ＧＰＦ４２２は、排気ガス中に含まれる煤に代表される粒子状物質を捕集する。下流触媒コンバータ４３は、三元触媒やＮＯＸ触媒等の適宜の触媒を内蔵した触媒コンバータである。
【００４２】
排気通路４０における上流触媒コンバータ４２よりも上流側の部位には、排気ガス中に含まれる酸素の濃度を検出するリニアＯ２センサＳＮ９が配置されている。リニアＯ２センサＳＮ９は、酸素濃度の濃淡に応じて出力値がリニアに変化するセンサであり、その出力値に基づいて、混合気の空燃比を推定することが可能である。また、三元触媒４２１とＧＰＦ４２２との間には、排気ガス中のＮＯＸ濃度を計測するＮＯＸセンサＳＮ１０が配置されている。
【００４３】
外部ＥＧＲ装置４５は、排気通路４０と吸気通路３０とを接続するＥＧＲ通路４５１と、ＥＧＲ通路４５１に設けられたＥＧＲクーラ４５２およびＥＧＲ弁４５３と、を有している。ＥＧＲ通路４５１は、排気通路４０における上流触媒コンバータ４２よりも下流側の部位と、吸気通路３０におけるスロットル弁３２と過給機３３との間の部位とを互いに接続している。ＥＧＲクーラ４５２は、ＥＧＲ通路４５１を通して排気通路４０から吸気通路３０に還流される排気ガス（外部ＥＧＲガス）を、熱交換により冷却する。ＥＧＲ弁４５３は、ＥＧＲクーラ４５２よりも下流側のＥＧＲ通路４５１に配置され、当該ＥＧＲ通路４５１を流通する排気ガスの流量を調整する。
【００４４】
［制御系統］
続いて、上述したエンジンの制御系統について説明する。図４は、エンジンの制御系統を示すブロック図である。制御系統は、ＥＣＵ２０を備える。ＥＣＵ２０は、エンジンを統括的に制御するためのマイクロプロセッサであり、周知のＣＰＵ、ＲＯＭ、ＲＡＭ等から構成されている。
【００４５】
ＥＣＵ２０には、各種センサによる検出信号が入力される。ＥＣＵ２０には、上述したクランク角センサＳＮ１、水温センサＳＮ２、筒内圧センサＳＮ３、エアフローセンサＳＮ４、第１・第２吸気温センサＳＮ５，ＳＮ７、第１・第２吸気圧センサＳＮ６，ＳＮ８、リニアＯ２センサＳＮ９およびＮＯＸセンサＳＮ１０と電気的に接続されている。これらのセンサによって検出された情報（つまりクランク角、エンジン回転数、エンジン水温、筒内圧力、吸気流量、吸気温、吸気圧、排気ガスの酸素濃度、ＮＯＸ濃度等）は、ＥＣＵ２０に逐次入力される。また、車両には、図略のアクセルペダルの開度を検出するアクセルセンサＳＮ１１が設けられている。このアクセルセンサＳＮ１１による検出信号も、ＥＣＵ２０に入力される。
【００４６】
ＥＣＵ２０には、各センサからの入力情報に基づいて種々の判定や演算等を実行しつつエンジンの各部を制御する。即ち、ＥＣＵ２０は、吸気ＶＶＴ１３ａ、排気ＶＶＴ１４ａ、インジェクタ１５、点火プラグ１６、スワール弁１７、スロットル弁３２、電磁クラッチ３４、バイパス弁３７、およびＥＧＲ弁４５３等と電気的に接続されており、上記演算の結果等に基づいてこれらの機器にそれぞれ制御用の信号を出力する。
【００４７】
ＥＣＵ２０は、所定のプログラムが実行されることによって、演算部２１、噴射制御部２２、点火制御部２３、スワール制御部２４、吸気制御部２５、ＥＧＲ制御部２６および全体制御部２７を機能的に具備するように動作する。
【００４８】
噴射制御部２２は、インジェクタ１５による燃料の噴射動作を制御する制御モジュールである。点火制御部２３は、点火プラグ１６による点火動作を制御する制御モジュールである。スワール制御部２４は、スワール弁１７の開度を制御する制御モジュールである。吸気制御部２５は、燃焼室６に導入される吸気の流量や圧力を調整する制御モジュールであり、スロットル弁３２およびバイパス弁３７の各開度や電磁クラッチ３４のＯＮ／ＯＦＦを制御する。ＥＧＲ制御部２６は、燃焼室６に導入されるＥＧＲガスの量を調整する制御モジュールであり、吸気ＶＶＴ１３ａおよび排気ＶＶＴ１４ａの各動作ＥＧＲ弁４５３の開度を制御する。
【００４９】
演算部２１は、上記の各制御部２２〜２６による制御目標値の決定や、エンジンの運転状態の判定のための各種演算を実行する制御モジュールである。全体制御部２７は、エンジンの運転シーン等に応じて演算部２１および各制御部２２〜２６を統括的に制御し、必要な演算および制御を実行させる。
【００５０】
［運転状態に応じた制御］
図５は、本実施形態のエンジンの温間時に使用される運転マップであり、エンジンの回転速度／負荷に応じた制御の相違を示す図である。なお、以下の説明において、エンジンの負荷が高い（低い）とは、エンジンの要求トルクが高い（低い）ことと等価である。
【００５１】
エンジンが温間状態にあるとき、エンジンの運転領域は、燃焼形態の相違によって３つの運転領域Ａ１〜Ａ３に大別される。これら運転領域Ａ１〜Ａ３を、それぞれ第１運転領域Ａ１、第２運転領域Ａ２、第３運転領域Ａ３と呼ぶ。第３運転領域Ａ３は、回転速度が高い領域である。第１運転領域Ａ１は、第３運転領域Ａ３よりも低速側の領域から高負荷側の一部を除いた低・中速／低負荷の領域である。第２運転領域Ａ２は、第１、第３運転領域Ａ１，Ａ３以外の残余の領域、つまり低・中速／高負荷の領域である。以下、各運転領域で選択される燃焼形態等について順に説明する。
【００５２】
〈第１運転領域〉
低・中速／低負荷の第１運転領域Ａ１では、ＳＩ燃焼とＣＩ燃焼とを組み合わせた部分圧縮着火燃焼（以下、これをＳＰＣＣＩ燃焼という）が実行される。ＳＩ燃焼とは、点火プラグ１６から発生する火花により混合気に点火し、その点火点からその周囲へと燃焼領域を拡げて行く火炎伝播により混合気を強制的に燃焼させる燃焼形態のことである。ＣＩ燃焼とは、ピストン５の圧縮により高温・高圧化された環境下で、混合気を自着火により燃焼させる燃焼形態のことである。これらＳＩ燃焼とＣＩ燃焼とを組み合わせたＳＰＣＣＩ燃焼とは、混合気が自着火する寸前の環境下で行われる火花点火により燃焼室６内の混合気の一部をＳＩ燃焼させ、このＳＩ燃焼の後に（当該ＳＩ燃焼に伴うさらなる高温。高圧化によって）、燃焼室６内の他の混合気を自着火によりＣＩ燃焼させる燃焼形態である。なお、「ＳＰＣＣＩ」は、「Ｓｐａｒｋ  Ｃｏｎｔｒｏｌｌｅｄ  Ｃｏｍｐｒｅｓｓｉｏｎ  Ｉｇｎｉｔｉｏｎ」の略である。
【００５３】
ＳＰＣＣＩ燃焼は、ＳＩ燃焼時の熱発生よりもＣＩ燃焼時の熱発生の方が急峻になるという性質がある。図７は、ＳＰＣＣＩ燃焼時の熱発生率の波形を示すグラフである。当該波形における点Ｘ１は、ＳＩ燃焼の開始に伴って熱発生率が立ち上がる熱発生点（クランク角θｓｉ）である。熱発生点以降、ＳＩ燃焼に対応する燃焼初期の立ち上がりの傾きが、その後のＣＩ燃焼に対応して生じる立ち上がりの傾きよりも小さくなっている。即ち、ＳＰＣＣＩ燃焼時の熱発生率の波形は、ＳＩ燃焼に基づく相対的に立ち上がりの傾きが小さい第１熱発生率部Ｒ１と、ＣＩ燃焼に基づく相対的に立ち上がりの傾きが大きい第２熱発生率部Ｒ２とが、この順に連続するように形成される。また、このような熱発生率の傾向に対応して、ＳＰＣＣＩ燃焼では、ＳＩ燃焼時に生じる燃焼室６内の圧力上昇率（ｄｐ／ｄθ）がＣＩ燃焼時のそれよりも小さくなる。
【００５４】
ＳＩ燃焼によって、燃焼室６内の温度および圧力が高まると、これに伴い未燃混合気が自着火し、ＣＩ燃焼が開始される。このＣＩ燃焼が開始するタイミングで、熱発生率の波形は、ＣＩ燃焼が開始するタイミングで現れる変曲点（図７の点Ｘ２＝クランク角θｃｉ）を有している。
【００５５】
ＣＩ燃焼の開始後は、ＳＩ燃焼とＣＩ燃焼とが並行して行われる。ＣＩ燃焼は、ＳＩ燃焼よりも混合気の燃焼速度が速いため、熱発生率は相対的に大きくなる。ただし、ＣＩ燃焼は、圧縮上死点の後の行われるため、熱発生率の波形の傾きが過大になることはない。即ち、圧縮上死点を過ぎるとピストン５の下降によりモータリング圧力が低下するので、このことが熱発生率の上昇を抑制する結果、ＣＩ燃焼時のｄｐ／ｄθが過大になることが回避される。このように、ＳＰＣＣＩ燃焼では、ＳＩ燃焼の後にＣＩ燃焼が行われるという性質上、燃焼騒音の指標となるｄｐ／ｄθが過大になり難く、単純なＣＩ燃焼（全ての燃料をＣＩ燃焼させた場合）に比べて燃焼騒音を抑制することができる。
【００５６】
ＣＩ燃焼の終了に伴いＳＰＣＣＩ燃焼も終了する。ＣＩ燃焼はＳＩ燃焼に比べて燃焼速度が速いので、単純なＳＩ燃焼（全ての燃料をＳＩ燃焼させた場合）に比べて燃焼終了時期を早めることができる。言い換えると、ＳＰＣＣＩ燃焼では、燃焼終了時期を膨張行程内において圧縮上死点に近付けることができる。これにより、ＳＰＣＣＩ燃焼では、単純なＳＩ燃焼に比べて燃費性能を向上させることができる。第１運転領域Ａ１におけるＳＰＣＣＩ燃焼の実行の際、ＥＣＵ２０の全体制御部２７は、各制御部２２〜２６を次のような制御を実行させる。
【００５７】
火花点火に関し全体制御部２７は、点火プラグ１６から火花を２回発生させ、２回目の火花点火をきっかけにして、混合気をＳＰＣＣＩ燃焼させる制御を実行する。具体的には、点火プラグ１６（点火制御部２３）は、圧縮上死点から十分に進角された時期に火花を発生させる先行点火と、先行点火よりも圧縮上死点に近い時期に火花を発生させる主点火とを実行する。先行点火は、圧縮行程前期または中期の何れか（ＢＴＤＣ１８０〜６０°ＣＡ）に実行される。主点火は、ＳＩ燃焼を開始させる点火であり、圧縮行程後期から膨張行程初期までの期間内（ＢＴＤＣ６０〜ＡＴＤＣ６０°ＣＡ）に実行される。なお、燃料噴射後であれば、吸気行程において先行点火を実行させてもよい。
【００５８】
図６は、エンジンの各運転領域で行われる燃焼制御を概略的に説明するためのタイムチャートである。第１運転領域Ａ１における低負荷側の運転ポイントＰ１，Ｐ２において、点火制御部２３は点火プラグ１６を制御して、図６のチャート（ａ）、（ｂ）に各々示すように、圧縮行程前期に先行点火を実行するとともに、圧縮行程後期に主点火を実行する。ただし、高負荷側の運転ポイントＰ２における先行点火の時期は、低負荷側の運転ポイントＰ１における先行点火の時期よりも進角側に設定される。これは、後述する第２噴射（１サイクル中の最後の燃料噴射）の時期に連動したものである。即ち、点火制御部２３は、第２噴射の終了時期から先行点火までのクランク角期間が略一定に維持されるように、第２噴射の時期に連動して先行点火の時期が高負荷側ほど進角させる。噴射制御部２２は、第２噴射の時期をエンジン負荷（運転状態）に応じて変更し、点火制御部２３は、第２噴射の時期変更の前後において、第２噴射の終了時期から先行点火の時期までの期間が一定に維持されるように、先行点火の時期を変更する。
【００５９】
圧縮上死点から十分に進角された時期に実行される先行点火は、混合気の火炎伝播を生じさせない。この先行点火は、火花（アーク）の周囲の混合気を８５０Ｋ以上１１４０Ｋ未満という狙いの温度にまで上昇させることにより、燃料成分（炭化水素）を開裂させてＯＨラジカルを含む中間生成物を生成することを目的として行われる。また、火炎伝播が生じるのを確実に防止するため、先行点火のエネルギは、主点火のエネルギよりも小さくされる。従って、このようｊな先行点火が行われても、混合気には実質的に火炎が形成されず、ＳＩ燃焼は開始されない。
【００６０】
一方、圧縮上死点に比較的近い時期に実行されるエネルギの大きな主点火は、混合気の火炎伝播を生じさせ、ＳＩ燃焼を引き起こす。ＳＩ燃焼が開始されると、燃焼室６が高温・高圧化し、そのことがＣＩ燃焼を引き起こす。即ち、主点火をきっかけにＳＰＣＣＩ燃焼が開始され、燃焼室６内の一部の混合気が火炎伝播により燃焼（ＳＩ燃焼）し、その他の混合気が自着火により燃焼（ＣＩ燃焼）する。
【００６１】
インジェクタ１５は、１サイクル中に噴射すべき燃料を２回に分けて、吸気行程中に噴射する。第１運転領域Ａ１において噴射制御部２２は、インジェクタ１５を制御して、上述した先行点火よりも早い所定の期間内に、第１噴射と第２噴射との２回に分けて燃料を噴射させる。運転ポイントＰ１，Ｐ２において、インジェクタ１５は、図６のチャート（ａ）、（ｂ）に示すように、吸気行程前半に第１噴射を開始するとともに、吸気行程後半に第２噴射を開始する。ただし、高負荷側の運転ポイントＰ２における第２噴射の開始時期は、低負荷側の運転ポイントＰ１における第２噴射の開始時期よりも進角側に設定される。
【００６２】
第２噴射の時期は、第１運転領域Ａ１内で負荷が増大するほど進角される。分割噴射によりインジェクタ１５から噴射される燃料の総量は、要求トルクが高くなる高負荷側ほど多くなるように設定される。また、第１・第２噴射の分割比は、高負荷側ほど第１噴射の割合が小さくなるように設定される（噴射量は第１噴射＞第２噴射）。例えば、第１・第２噴射の分割比は、第１運転領域Ａ１における低負荷側から高負荷側にかけて、概ね９：１から６：４まで変化するように設定される。これにより、燃料が成層化され過ぎてエミッション性能が低下することを回避できる。
【００６３】
第１運転領域Ａ１での運転時、スロットル弁３２の開度は、理論空燃比相当の空気量よりも多くの空気が吸気通路３０を通じて燃焼室６に導入されるような開度に設定される。即ち、吸気制御部２５は、吸気通路３０を通じて燃焼室６に導入される空気（新気）と、第１・第２噴射によって燃焼室６に噴射される燃料との重量比である空燃比（Ａ／Ｆ）が、理論空燃比（１４．７）よりも大きくなるように、スロットル弁３２の開度を比較的高めに設定する（Ａ／Ｆリーン）。これにより、理論空燃比相当の空気量よりも多くの空気が、吸気通路３０を通じて燃焼室６に導入される。
【００６４】
全体制御部２７は、過給機３３を、図５に示される過給ラインＴの内側領域（第１運転領域Ａ１の低速側）ではＯＦＦ状態とし、過給ラインＴの外側領域（第１運転領域Ａ１の高速側）ではＯＮ状態とする。第１運転領域Ａ１の低速側では、電磁クラッチ３４が開放されて過給機３３とエンジン本体１との連結が解除されるとともに、バイパス弁３７が全開とされることにより、過給機３３による過給が停止される。一方、第１運転領域Ａ１の高速側では、電磁クラッチ３４が締結されて過給機３３とエンジン本体１とが連結されることにより、過給機３３による過給が行われる。このとき、第２吸気圧センサＳＮ８により検出される過給圧が、エンジンの運転条件（回転速度や負荷等の条件）ごとに予め定められた目標圧力に一致するように、吸気制御部２５は、バイパス弁３７の開度を制御する。
【００６５】
ＥＧＲ制御部２６は、ＥＧＲ弁４５３を、ＳＰＣＣＩ燃焼に適した筒内温度が実現されるように、第１運転領域Ａ１内の多くの領域において開弁する。即ち、ＥＧＲ通路４５１を通じて燃焼室６に排気ガスを還流する外部ＥＧＲが実現されるように、ＥＧＲ弁４５３が開弁される。ＥＧＲ弁４５３の開度は、所望のＳＰＣＣＩ燃焼の波形を得るのに適した筒内温度が実現されるように調製される。
【００６６】
スワール制御部２４は、スワール弁１７の開度を、半開（５０％）よりも低い低開度に設定する。スワール弁１７の開度が低減されることにより、燃焼室６に導入される吸気は、その大部分が第１吸気ポート９Ａ（図３）からの吸気となり、燃焼室６内に強いスワール流が形成される。このスワール流は、吸気行程中に成長して圧縮行程の途中まで残存し、燃料の成層化を促進する。つまり、燃焼室６の径方向中央部の燃料濃度がその外側の領域（外周部）に比べて濃くなるという濃度差が形成される。
【００６７】
〈第２運転領域〉
低・中速／高負荷の第２運転領域Ａ２では、１回の火花点火によって混合気をＳＰＣＣＩ燃焼させる制御が実行される。言い換えると、第２運転領域Ａ２では、上述した第１運転領域Ａ１における先行点火が省略されて、主点火のみが実行される。このような１回点火によるＳＰＣＣＩ燃焼を実現するため、第２運転領域Ａ２では、ＥＣＵ２０の全体制御部２７によってエンジンの各部が次のように制御される。
【００６８】
点火プラグ１６は、圧縮行程後期から膨張行程初期までの期間内に１回の火花点火を実行する。第２運転領域Ａ２に含まれる運転ポイントＰ３において、点火プラグ１６は、図６のチャート（ｃ）に示すように、圧縮行程後期に１回の火花点火を実行する。この火花点火をきっかけにＳＰＣＣＩ燃焼が開始され、燃焼室６内で一部の混合気が火炎伝播により燃焼（ＳＩ燃焼）し、その他の混合気が自着火により燃焼（ＣＩ燃焼）する。インジェクタ１５は、運転ポイントＰ３において、図６のチャート（ｃ）に示すように、１サイクル中に噴射すべき燃料の全量を供給する１回の燃料噴射を吸気行程中に実行する。
【００６９】
スロットル弁３２の開度は、理論空燃比相当の空気量が吸気通路３０を通じて燃焼室６に導入されるような開度、つまり、燃焼室６内の空気（新気）と燃料との重量比である空燃比（Ａ／Ｆ）が理論空燃比（１４．７）に略一致するような開度に設定される（λ≒１）。過給機３３は、過給ラインＴの内側領域と重複する低負荷かる低速側の一部においてＯＦＦ状態とされ、それ以外の領域でＯＮ状態とされる。ＥＧＲ弁４５３は、第２運転領域Ａ２でのＳＰＣＣＩ燃焼に適した量の外部ＥＧＲガスが燃焼室６に導入されるように適宜の開度まで開弁される。スワール弁１７の開度は、第１運転領域Ａ１での開度と同程度の値か、もしくはこれよりも大きい所定の中間開度に設定される。
【００７０】
〈第３運転領域〉
上記第１・第２運転領域Ａ１，Ａ２よりも高速側の第３運転領域Ａ３では、ＳＩ燃焼が実行される。このＳＩ燃焼の実現のために、第３運転領域Ａ３では、全体制御部２７によってエンジンの各部が次のように制御される。
【００７１】
点火プラグ１６は、圧縮行程後期から膨張行程初期までの期間内に、１回の火花点火を実行する。例えば、第３運転領域Ａ３に含まれる運転ポイントＰ４において、点火プラグ１６は、図６のチャート（ｄ）に示すように、圧縮行程後期に１回の火花点火を実行する。そして、この火花点火をきっかけにＳＩ燃焼が開始され、燃焼室６内の混合気が全て火炎伝播により燃焼する。
【００７２】
インジェクタ１５は、吸気行程から圧縮行程にかけた一連の期間にわたって燃料を噴射する。なお、運転ポイントＰ４は、かなり高速かつ高負荷の条件であるため、１サイクル中に噴射すべき燃料の量がそもそも多い上に、所要量の燃料を噴射するのに要するクランク角期間が長期化する。運転ポイントＰ４における燃料の噴射期間が既述の他の運転ポイント（Ｐ１〜Ｐ３）の何れよりも長いのはこのためである。
【００７３】
過給器３３はＯＮ状態とされ、過給機３３による過給が行われる。このときの過給圧は、バイパス弁３７によって調整される。スロットル弁３２およびＥＧＲ弁４５３は、燃焼室６内の空燃比（Ａ／Ｔ）が理論空燃比もしくはこれよりもややリッチな値（λ≦１）となるように、それぞれの開度が制御される。スワール弁１７は全開とされる。これにより、第１吸気ポート９Ａだけでなく第２吸気ポート９Ｂが完全に開放されて、エンジンの充填効率が高められる。
【００７４】
［各燃焼態様における望ましい筒内流動］
本実施形態の燃焼室６内では、筒内流動として、少なくともタンブル流とスワール流とが発生する。即ち、上記で説明した通り、本実施形態の吸気ポート９（９Ａ，９Ｂ）は、タンブル流を形成可能なタンブルポートである。また、スワール弁１７の開閉により、スワール流を形成することができる。本実施形態にエンジンは、ＳＩ燃焼とＳＰＣＣＩ燃焼とが併用されるが、前者の燃焼態様ではタンブル流が肝要となり、後者の燃焼態様ではスワール流が肝要となる。
【００７５】
ＳＩ燃焼では、専ら高回転高負荷領域での燃焼であるため、熱効率を向上させることが求められる。熱効率の向上には、タンブル流を吸気行程から圧縮行程後期（圧縮上死点付近）まで維持させ、維持されたタンブル流を圧縮上死点付近で一気に乱流に変換することが望ましい。タンブル流の可及的な維持により、ＳＩ燃焼の火炎伝播を高速化することができ、熱効率の向上を実現することができる。
【００７６】
一方、ＳＰＣＣＩ燃焼では、前段のＳＩ燃焼により発生させた点火プラグ１６付近の火炎（火種）を、燃焼室６の周縁の領域へ速く運ぶことが求められる。火種の周縁領域への運搬に貢献するのは、専らスワール流である。従って、スワール流を吸気行程から圧縮上死点付近で維持させることが望ましい。スワール流による火種の運搬効果により、筒内温度が高められ、後段のＣＩ燃焼における圧縮着火を促進させることができる。以上の観点より、ＳＩ燃焼とＳＰＣＣＩ燃焼とを併用する本実施形態のエンジンでは、通常のガソリンエンジンやディーゼルエンジンとは異なり、タンブル流およびスワール流を、吸気行程から圧縮上死点付近まで維持させることが望ましい。
【００７７】
［ピストンの詳細構造］
続いて、図８〜図１１を参照して、ピストン５の構造、とりわけ冠面５０の構造について詳細に説明する。本実施形態では、冠面５０に、上述したタンブル流およびスワール流の双方を圧縮上死点付近まで維持させることを可能とする形状的工夫が施されている。図８は、図１および図２に示されたピストン５の斜視図、図９は、冠面５０の平面図、図１０は、図９のＸ−Ｘ線断面図、図１１は、図９のＸＩ−ＸＩ線断面図である。図８〜図１１では、説明の明確性を担保するため、ＸＹＺの方向表示を付している。Ｚ方向は気筒軸ＡＸ方向、Ｘ方向はクランク軸７の延伸方向であるエンジン本体１の前後方向、Ｙ方向はＺ方向およびＸ方向の双方と直交する方向であって、吸気口と排気口との配列方向に各々相当する。各図には、エンジン本体１の設置方向におけるフロント側、リヤ側という意味においてＦ側（＋Ｘ側）、Ｒ側（−Ｘ側）と、吸気ポート９および排気ポート１０と各々対向する側であるという意味においてＩＮ側（＋Ｙ側）、ＥＸ側（−Ｙ側）との表記が付されている。
【００７８】
ピストン５は、ピストンヘッド５Ａと、ピストンヘッド５Ａの下方（−Ｚ側）に連設されたスカート部５Ｓとを含む。ピストンヘッド５Ａは円柱体からなり、燃焼室６の壁面の一部（底面）を形成する冠面５０を上面に備えるとともに、気筒２の内壁面と摺接する側周面５Ｃとを備える。側周面５Ｃには、ピストンリングが嵌め込まれるリング溝が複数備えられている。スカート部５Ｓは、ピストンヘッド５Ａの＋Ｙ側および−Ｙ側に配置され、ピストン５の往復運動の際の首振り揺動を抑制する。ピストンヘッド５Ａの下方には、Ｘ方向に延びるピン孔を区画するピストンボス５Ｂが設けられている。ピストンボス５Ｂのピン孔には、コネクティングロッド８との連結のためのピストンピンが挿通される。
【００７９】
冠面５０は、燃焼室天井面６ＵとＺ方向に対向する面である。冠面５０は、その径方向（Ｘ方向およびＹ方向）の概ね中央部分に配置された椀状のキャビティ５１を含む。キャビティ５１は、インジェクタ１５から燃料の噴射を受ける部分であって、冠面５０が下方（−Ｚ側）に凹設された部分である。なお、ここでの「凹設」とは、ペントルーフ形の燃焼室天井面６Ｕに沿う冠面形状を想定した場合において、径方向中央部分が凹没している意味合いであって、必ずしも冠面５０においてキャビティ５１が最も低い部分を構成していなくてもよい。
【００８０】
＋Ｚ側からの平面視において、冠面５０におけるキャビティ５１を囲む外周領域には、Ｆ側凸部５２Ｆ、Ｒ側凸部５２Ｒ、ＩＮ側平面部５３、ＥＸ側平面部５４、ＩＮ側斜面部５５、およびＥＸ側斜面部５６が配置されている。Ｆ側凸部５２Ｆはキャビティ５１の＋Ｘ側に、Ｒ側凸部５２Ｒは−Ｘ側に、各々隣接する凸面である。ＩＮ側平面部５３はキャビティ５１の＋Ｙ側に、ＥＸ側平面部５４は−Ｙ側に、各々位置する平面である。ＩＮ側斜面部５５は、キャビティ５１の＋Ｙ側端縁とＩＮ側平面部５３との間に配置された斜面である。ＥＸ側斜面部５６は、キャビティ５１の−Ｙ側端縁とＥＸ側平面部５４との間に配置された斜面である。
【００８１】
Ｆ側凸部５２ＦおよびＲ側凸部５２Ｒは、冠面５０におけるキャビティ５１とピストン５の側周面５Ｃ（外縁部）との間の外周領域において＋Ｚ方向（気筒軸方向）に突設されている。Ｆ側凸部５２ＦおよびＲ側凸部５２Ｒは、一対の斜面部５２１と稜線部５２２とによって各々構成されている。一対の斜面部５２１は、燃焼室天井面６Ｕのペントルーフ形状に沿う山形の傾斜面を形成している。稜線部５２２は、一対の斜面部５２１の頂部において、Ｘ方向に帯状に延びる平面である。図９に示すように、＋Ｚ側からの平面視（冠面５０の上面視）において、キャビティ５１はＸ方向が長軸である楕円形状を有している。つまり、キャビティ５１は稜線部５２２の延在方向に幅広の楕円形状を備えている。また、Ｆ側凸部５２ＦおよびＲ側凸部５２Ｒは、キャビティ５１の長軸と交差する略Ｕ字形の形状を有している。Ｆ側凸部５２Ｆの外周側およびＲ側凸部５２Ｒの外周側に各々隣接して、円弧状の帯状平面からなるＦ側平面部５２３ＦおよびＲ側平面部５２３Ｒが、各々配置されている。
【００８２】
ＩＮ側平面部５３は、冠面５０の＋Ｙ側外周縁（側周面５Ｃ）を弧とし、Ｘ方向に延びる直線を弦とする弓形の平面である。ＩＮ側平面部５３は、ピストン５が圧縮上死点に向かう際、スキッシュ流が形成されるスキッシュエリアである。ＥＸ側平面部５４は、冠面５０の−Ｙ側外周縁を弧とし、Ｘ方向に延びる直線を弦とする弓形の平面である。本実施形態では、ＥＸ側平面部５４よりもＩＮ側平面部５３の方が広面積に設定されている。この面積差に応じて、Ｆ側・Ｒ側凸部５２Ｆ，５２Ｒの−Ｙ側斜面部５２１の裾野が、＋Ｙ側斜面部５２１よりも長くなっている。なお、ＩＮ側平面部５３、ＥＸ側平面部５４、Ｆ側平面部５２３Ｆ、およびＲ側平面部５２３Ｒは、ほぼ同じの高さ位置にある平面である。これら平面のうちＩＮ側平面部５３は、冠面５０の加工時において各部の高さ位置を定める基準面となる。
【００８３】
ＩＮ側斜面部５５およびＥＸ側斜面部５６は、冠面５０におけるキャビティ５１の外周領域において、稜線部５２２の延在方向（Ｘ方向）と直交する方向（＋Ｙ、−Ｙ方向）の位置に突設されている。ＩＮ側斜面部５５は、ＩＮ側平面部５３の弦の位置を立ち上がり位置として、冠面５０の径方向内側（−Ｙ側）に向かって＋Ｚ側にせり上がり、キャビティ５１の＋Ｙ側端縁に至る傾斜面である。ＥＸ側斜面部５６は、ＥＸ側平面部５４の弦の位置を立ち上がり位置として、冠面５０の径方向内側（＋Ｙ側）に向かって＋Ｚ側にせり上がり、キャビティ５１の−Ｙ側端縁に至る傾斜面である。
【００８４】
各斜面部５２１の裾野部分に対して、ＩＮ側斜面部５５およびＥＸ側斜面部５６は高い位置に存在しており、両者の境界には段差部５２４が形成されている。この段差部５２４の形成によって凹没した部分は、吸気弁１１および排気弁１２との干渉を防止するバルブリセスとなる。言い換えると、ＩＮ側斜面部５５は、一対の吸気弁１１用のバルブリセス間に形成された隆起部、ＥＸ側斜面部５６は、一対の排気弁１２用のバルブリセス間に形成された隆起部である。
【００８５】
図１１に示されているように、ＩＮ側斜面部５５およびＥＸ側斜面部５６のせり上がり高さ（最も＋Ｚ側に突出した高さ位置）よりも、Ｆ側凸部５２ＦおよびＲ側凸部５２Ｒの稜線部５２２の高さは高い位置にある。また、ＩＮ側斜面部５５よりもＥＸ側斜面部５６の方が、Ｙ方向の長さが長い。両斜面５５，５６の傾斜角度は概ね同一であり、Ｙ方向の長さが長い分だけ、ＥＸ側斜面部５６の方が＋Ｚ側への突出高さも高い。
【００８６】
キャビティ５１は、底部（中央底面）５１１、Ｆ側周壁５２１Ｆ、Ｒ側周壁５２１Ｒ、ＩＮ側周壁（吸気側底面）５１３、およびＥＸ側周壁（排気側底面）５１４を備えている。底部５１１は、椀状に凹設されたキャビティ５１の下方領域を構成する部分である。底部５１１は、−Ｚ方向に緩く凹没した曲面からなり、その外周縁は＋Ｚ側からの平面視で略円形の形状を有している。底部５１１の径方向中央に、キャビティ５１において−Ｚ側に最も凹没した地点である最深部５１Ｂが位置している。最深部５１Ｂは、ピストン５の径方向の中心に対してややＥＸ側にシフトした位置に存在している。Ｆ側周壁５１２Ｆは、底部５１１の＋Ｘ側周縁からＦ側凸部５２Ｆに向けて立ち上がる曲面である。Ｒ側周壁５１２Ｒは、底部５１１の−Ｘ側周縁からＲ側凸部５２Ｒに向けて立ち上がる曲面である。Ｆ側周壁５１２ＦおよびＲ側周壁５１２Ｒの高さは、各稜線５２２の位置において最も高く、斜面部５２１の裾野に向かうに連れて徐々に低くなっている。また、Ｆ側周壁５１２ＦおよびＲ側周壁５２１Ｒが有する曲面の曲率半径Ｒｆ，Ｒｒは、底部５１１の曲面の曲率半径Ｒよりも小さい。
【００８７】
ＩＮ側周壁５１３は、底部５１１の＋Ｙ側周縁からＩＮ側斜面部５５に向けて立ち上がる曲面である。ＥＸ側周壁５１４は、底部５１１の−Ｙ側周縁からＥＸ側斜面部５６に向けて立ち上がる曲面である。ＩＮ側周壁５１３およびＥＸ側周壁５１４が有する曲面の曲率半径Ｒｉｎ，Ｒｅｘもまた、底部５１１の曲面の曲率半径Ｒよりも小さい。ＩＮ側のバルブリセス間の間隔がＥＸ側のバルブリセス間の間隔よりも広いことから、ＩＮ側周壁５１３の方がＥＸ側周壁５１４よりも周方向幅が長くなっている。
【００８８】
なお、本実施形態では、底部５１１とＩＮ側周壁５１３およびＥＸ側周壁５１４とが接している。
【００８９】
［キャビティの各種パラメータ］
図１２は、キャビティ５１に関連する各種パラメータを示す図である。図中には、ＦＲ周壁高さＨ１（隆起部の高さ）、ＩＮ側周壁高さＨ２、キャビティ径Ｄ、ＦＲ間周壁長さＬ、ボア径Ｂ、およびストロークＳが示されている。ＦＲ周壁高さＨ１は、Ｆ側凸部５２ＦまたはＲ側凸部５２Ｒの高さ、言い換えるとＦ側周壁５１２ＦまたはＲ側周壁５１２Ｒの高さである。ＩＮ側周壁高さＨ２は、ＩＮ側斜面部５５のせり上がり高さ、言い換えるとＩＮ側周壁５１３の高さである。これらの高さＨ１，Ｈ２は、キャビティ５１の最深部５１Ｂ（所定の基準高さ位置）からの高さである。
【００９０】
キャビティ径Ｄは、キャビティ５１における、最深部５１Ｂを含む一定の曲率半径を有する外周縁の直径、本実施形態では底部５１１の外縁の直径である。ＦＲ間周壁長さＬは、Ｆ側凸部５２ＦとＲ側凸部５２Ｒとの間の間隔、言い換えるとＲ側周壁５１２Ｒの最上部（稜線部５２２の内側エッジ）とＦ側周壁５１２Ｆの最上部との間の間隔である。ボア径Ｂは、図２に示した通り気筒２の内径であって、ピストン５の直径に相当する長さである。ストロークＳは、ＴＤＣ（上死点）〜ＢＤＣ（下死点）間にピストン５がＺ方向に移動する長さである。
【００９１】
図１０および図１１には、キャビティ５１の曲面形状に関するパラメータも示されている。これらの図中には、半径Ｒ，Ｒｆ，Ｒｒ，Ｒｉｎ，Ｒｅｘが示されている。半径Ｒは、キャビティ５１の底部５１１を形成する曲面の半径である。この半径Ｒにて凹没する領域の外周縁が、底部５１１と他の周壁５１２Ｒ，５１２Ｆ，５１３，５１４との境界であって、上面視で円形形状（その直径＝キャビティ径Ｄ）を有している。半径ＲｆはＦ側周壁５１２Ｆ、半径ＲｒはＲ側周壁５１２Ｒを各々形成する曲面の半径である。キャビティ５１のＸ方向断面においては、半径Ｒの領域（底部５１１）の＋Ｘ側および−Ｘ側端部に、各々半径Ｒｆ，Ｒｒの領域（Ｆ側周壁５１２Ｆ、Ｒ側周壁５１２Ｒ）が連設されている。また、半径ＲｉｎはＩＮ側周壁５１３、半径ＲｅｘはＥＸ側周壁５１４を各々形成する曲面の半径である。キャビティ５１のＹ方向断面においては、半径Ｒの領域（底部５１１）の＋Ｙ側および−Ｙ側端部に、各々半径Ｒｉｎ，Ｒｅｘの領域（ＩＮ側周壁５１３、ＥＸ側周壁５１４）が連設されている。
【００９２】
［各パラメータ同士の比と得られる効果］
〈Ｈ１／Ｄ〉
ＦＲ周壁高さＨ１とキャビティ径Ｄとの関係については、次の２つの形態に分けて範囲が設定される。
【００９３】
（ｉ）ＳＰＣＣＩ燃焼のみ
上記高さＨ１と直径Ｄとの比であるＨ１／Ｄが、専らＳＰＣＣＩ燃焼においてスワール流を圧縮行程の後期まで維持させるという観点からは、
Ｈ１／Ｄ＝０．０５〜０．３６
の範囲に設定される。
【００９４】
上記関係を満たすことで、冠面５０に開口径の大きいキャビティ５１を配置することができ、スワール流を維持させ易くなるとともに、Ｆ側凸部５２ＦおよびＲ側凸部５２Ｒが適度な高さＨ１を有することで、キャビティ５１の底部５１１の外周縁領域においてスワール流をガイドさせることができる。
【００９５】
（ｉｉ）ＳＰＣＣＩ燃焼＋ＳＩ燃焼
次に、ＳＩ燃焼とＳＰＣＣＩ燃焼とを併用し、ＳＰＣＣＩ燃焼においてスワール流を圧縮行程の後期まで維持させるとともに、高回転のＳＩ燃焼においてタンブル流を圧縮行程の後期まで維持させるという観点からは、
Ｈ１／Ｄ＝０．０５０〜０．２３５
の範囲に設定される。
【００９６】
上記関係を満たすことで、タンブル流も適度な高さＨ１を有するＦ側凸部５２ＦおよびＲ側凸部５２Ｒによってガイドされ、キャビティ５１内に集まり易くすることができる。
【００９７】
〈Ｈ１／Ｈ２〉
ＦＲ周壁高さＨ１とＩＮ側周壁高さＨ２とは、次の２つの形態に分けて範囲が設定される。
【００９８】
（ｉ）ＳＰＣＣＩ燃焼のみ
専らＳＰＣＣＩ燃焼におけるスワール流の維持を考慮する場合には、
Ｈ１／Ｈ２＝１．７９〜３．２９
の範囲に設定される。
【００９９】
上記関係を満たすことで、Ｆ側凸部５２ＦおよびＲ側凸部５２ＲとＩＮ側斜面部５５との高さ比が適正化され、スワール流がＩＮ側斜面部５５（ＩＮ側周壁５１３）の領域で良好にガイドされるようになり、スワール流がキャビティ５１内において維持させ易くなる。
【０１００】
（ｉｉ）ＳＰＣＣＩ燃焼＋ＳＩ燃焼
また、ＳＩ燃焼とＳＰＣＣＩ燃焼との併用においてスワール流およびタンブル流の維持を考慮する場合には
Ｈ１／Ｈ２＝１．９２〜２．７５
の範囲に設定される。
【０１０１】
上記関係を満たすことにより、ＩＮ側斜面部５５よりも高いＦ側凸部５２ＦおよびＲ側凸部５２Ｒによってタンブル流がキャビティ５１内へガイドされるので、タンブル流の維持効果を高めることができる。
【０１０２】
〈Ｂ／Ｄ〉
キャビティ径Ｄとボア径Ｂとの関係については、次の２つの形態に分けて範囲が設定される。
【０１０３】
（ｉ）ＳＰＣＣＩ燃焼のみ
専らＳＰＣＣＩ燃焼におけるスワール流の維持を考慮する場合には
Ｂ／Ｄ＝１．１９〜２．９４
の範囲に設定される。
【０１０４】
１．１９≦Ｂ／Ｄとすることにより１５以上の幾何学的圧縮比を実現することができる。また、Ｂ／Ｄ≦２．９４とすることにより３．４５以上のスワール比を実現することができる。
【０１０５】
（ｉｉ）ＳＰＣＣＩ燃焼＋ＳＩ燃焼
また、ＳＩ燃焼とＳＰＣＣＩ燃焼との併用においてスワール流およびタンブル流の維持を考慮する場合には、
Ｂ／Ｄ＝１．１９〜２．２０
の範囲に設定される。
【０１０６】
１．１９≦Ｂ／Ｄとすることにより１５以上の幾何学的圧縮比を実現することができる。また、Ｂ／Ｄ≦２．２０とすることにより、３．４５以上のスワール比と、１．７９以上のタンブル比とを実現することができる。
【０１０７】
〈Ｂ／Ｌ〉
ＦＲ間周壁長さＬとボア径Ｂとの関係についても、次の２つの形態に分けて範囲が設定される。
【０１０８】
（ｉ）ＳＰＣＣＩ燃焼のみ
専らＳＰＣＣＩ燃焼におけるスワール流の維持を考慮する場合には、
Ｂ／Ｌ＝１．０より大きい〜２．８６
の範囲に設定される。
【０１０９】
（ｉｉ）ＳＰＣＣＩ燃焼＋ＳＩ燃焼
また、ＳＩ燃焼とＳＰＣＣＩ燃焼との併用においてスワール流およびタンブル流の維持を考慮する場合には、
Ｂ／Ｌ＝１．０より大きい〜１．５２
の範囲に設定される。
【０１１０】
〈Ｒ／Ｒｉｎ〉
キャビティ５１の底部５１１の曲率半径Ｒと、ＩＮ側周壁５１３の曲率半径Ｒｉｎとの関係については、次の２つの形態に分けて範囲が設定される。
【０１１１】
（ｉ）ＳＰＣＣＩ燃焼のみ
専らＳＰＣＣＩ燃焼におけるスワール流の維持を考慮する場合には、
Ｒ／Ｒｉｎ＝１．０より大きい〜７８．０
の範囲に設定される。
【０１１２】
（ｉｉ）ＳＰＣＣＩ燃焼＋ＳＩ燃焼
また、ＳＩ燃焼とＳＰＣＣＩ燃焼との併用においてスワール流およびタンブル流の維持を考慮する場合には、
Ｒ／Ｒｉｎ＝１．０より大きい〜１４．５
の範囲に設定される。
【０１１３】
〈Ｒ／Ｒｆ／Ｒ、Ｒ／Ｒｒ〉
キャビティ５１の底部５１１の曲率半径Ｒと、Ｆ側周壁５１２ＦおよびＲ側周壁５１２Ｒの曲率半径Ｒｆ，Ｒｒとの関係については、次の２つの形態に分けて範囲が設定される。
【０１１４】
（ｉ）ＳＰＣＣＩ燃焼のみ
専らＳＰＣＣＩ燃焼におけるスワール流の維持を考慮する場合には、
Ｒ／Ｒｆ＝１．０より大きい〜６４．０
Ｒ／Ｒｒ＝１．０より大きい〜６４．０
の範囲に設定される。
【０１１５】
（ｉｉ）ＳＰＣＣＩ燃焼＋ＳＩ燃焼
また、ＳＩ燃焼とＳＰＣＣＩ燃焼との併用においてスワール流およびタンブル流の維持を考慮する場合には、
Ｒ／Ｒｆ＝１．０より大きい〜１２．０
Ｒ／Ｒｒ＝１．０より大きい〜１２．０
の範囲に設定される。
【０１１６】
〈Ｒ／Ｂ〉
キャビティ５１の底部５１１の半径Ｒと、ボア径Ｂの関係については、次の２つの形態に分けて範囲が設定される。
【０１１７】
（ｉ）ＳＰＣＣＩ燃焼のみ
専らＳＰＣＣＩ燃焼におけるスワール流の維持を考慮する場合には、
Ｒ／Ｂ＝０．０より大きい〜２．４２
の範囲に設定される。
【０１１８】
上記のように、０．０＜Ｒ／Ｂとする、言い換えるとキャビティ５１の底部５１１を平面ではなく凹没された曲面とすることにより、燃焼室６内で発生したスワール流をキャビティ５１内にガイドすることができる。よって、０．０＜Ｒ／Ｂとすることにより３．４５以上のスワール比を実現することができ、ＳＰＣＣＩ燃焼におけるスワール流を圧縮行程の後期まで維持することができる。
【０１１９】
また、上記のように、Ｒ／Ｂ≦２．４２とすることにより、１５以上の幾何学的圧縮比を実現することができる。
【０１２０】
従って、上記のような範囲でＲ／Ｂを設定することにより、幾何学的圧縮比が１５以上の高圧縮比エンジンにおいて、ＳＰＣＣＩ燃焼におけるスワール流を圧縮行程の後期まで維持することで、高い燃焼効率を実現することができる。
【０１２１】
（ｉｉ）ＳＰＣＣＩ燃焼＋ＳＩ燃焼
また、ＳＩ燃焼とＳＰＣＣＩ燃焼との併用においてスワール流およびタンブル流の維持を考慮する場合には、
Ｒ／Ｂ＝１．０６〜２．４２
の範囲に設定される。
【０１２２】
上記のように、１．０６＜Ｒ／Ｂとすることにより、３．４５以上のスワール比を実現することができるとともに、１．７９以上のタンブル比も実現することができる。
【０１２３】
また、上記のように、Ｒ／Ｂ≦２．４２とすることにより、１５以上の幾何学的圧縮比を実現することができる。
【０１２４】
従って、上記のような範囲でＲ／Ｂを設定することにより、幾何学的圧縮比が１５以上の高圧縮比エンジンにおいて、圧縮行程の後期までスワール流およびタンブル流を維持し、低回転域から高回転域までＳＰＣＣＩ燃焼を実現する上で必要となるスワール比およびタンブル比を確保することで、高い燃焼効率を実現することができる。
【０１２５】
なお、Ｒ／Ｂの設定については、後述する。
【０１２６】
［筒内流動についての説明］
以下、本実施形態に係るキャビティ５１を有するピストン５が用いられた場合の筒内流動について、図１３〜図１８を参照して説明する。図１３〜図１５では、図５の第３運転領域（ＳＩ燃焼）において慣用となるタンブル流が維持される状況が示されている。図１６〜図１８では、第１・第２運転領域（ＳＰＣＣＩ燃焼）において慣用となるスワール流が維持される状況が示されている。図１３、図１４、図１６、図１７では、気筒２が簡略的に示されているとともに、ピストン５、インジェクタ１５、および点火プラグ１６の位置関係が示されている。
【０１２７】
〈タンブル流〉
図１３（Ａ）〜（Ｄ）は、ＳＩ燃焼の吸気行程におけるタンブル流の流動を模式的に示す図である。ここでは、タンブル比＝２（排気ＴＤＣ〜圧縮ＴＤＣの間にタンブル流が２回転する）である例を示す。図１３（Ａ）は、ピストン５が排気ＴＤＣの位置にある状態を示している。この状態では、吸気弁１１は開いておらず、吸気ポート９から新気は気筒２（燃焼室６）に流入していない。
【０１２８】
図１３（Ｂ）は、ピストン５が排気ＴＤＣから４５ｄｅｇ程度下降した状態を示している。この状態では吸気弁１１は開かれ、ピストン５の下降に伴う圧力低下により、新気が吸気ポート９から気筒２（燃焼室６）に流入する。既述の通り吸気ポート９はタンブルポートの形状を有しているので、新気の流入によって気筒２内にはタンブル流Ｆｔが発生する。タンブル流Ｆｔは、中央タンブル流Ｆｔｃと外縁タンブル流Ｔｔｅとを含む。中央タンブル流Ｆｔｃは、キャビティ５１の径方向中央領域に向かう比較的強い流動である。外縁タンブル流Ｆｔｅは、中央タンブル流Ｆｔｃの両サイドに発生する流動であって、キャビティ５１の径方向周縁領域に向かう比較的弱い流動である。ＳＩ燃焼ではスワール弁１７が全開とされるので、新気は２つの吸気ポート９Ａ，９Ｂから気筒２に流入する。これら２つの新気流入により、径方向中央領域では比較的強い中央タンブル流Ｆｔｃが発生するものである。
【０１２９】
図１３（Ｃ）は、ピストン５が排気ＴＤＣから９０ｄｅｇ下降した状態である。タンブル流Ｆｔは、キャビティ５１内に入り込んでいる。詳しくは、中央タンブル流Ｆｔｅは径方向周縁領域に入り込んでいる。図１３（Ｄ）は、ピストン５が排気ＴＤＣから１３５ｄｅｇ程度下降した状態である。中央タンブル流Ｆｔｃおよび外縁タンブル流Ｆｔｅの双方とも、キャビティ５１にガイドされるようにして、流動方向を上向きに反転させている。なお、インジェクタ１５は、図６に例示した通り、吸気行程において運転シーンに応じたタイミングで、燃料を噴射する。
【０１３０】
図１４（Ａ）〜（Ｄ）は、圧縮行程におけるタンブル流Ｆｔの流動を模式的に示す図である。図１４（Ａ）は、ピストン５が吸気ＢＤＣの位置にある状態を示している。吸気ＢＤＣ付近で吸気弁１１は閉じられ、燃焼室６内の混合気は圧縮され始める。この段階ではタンブル流Ｆｔは、燃焼室天井面６Ｕに向かうように流動している。
【０１３１】
図１４（Ｂ）は、ピストン５が吸気ＢＤＣから４５ｄｅｇ程度上昇した状態を示している。タンブル流Ｆｔは、燃焼室天井面６Ｕにガイドされるようにして、流動方向を下方向に反転させている。再び、中央タンブル流Ｆｔｃはキャビティ５１の径方向中央領域に、外縁タンブル流Ｆｔｅは径方向周縁領域に、各々向かっている。
【０１３２】
図１４（Ｃ）は、ピストン５が吸気ＢＤＣから９０ｄｅｇ上昇した状態である。中央タンブル流ＦＴｃはキャビティ５１の径方向中央領域に、外縁タンブル流Ｆｔｅは径方向周縁領域に各々入り込み、キャビティ５１でガイドされている。図１４（Ｄ）は、ピストン５が吸気ＢＤＣから１３５ｄｅｇ程度上昇した状態である。圧縮行程の後期に至っても、キャビティ５１が広い面積および容積を具備し、且つ、上述のＨ１／Ｈ２の関係を満たす高さのＦ側凸部５２ＦおよびＲ側凸部５２Ｒを具備していることから、タンブル流Ｆｔは維持される。ただし、燃焼室６の外縁タンブル流Ｆｔｅは消失気味となり、専ら中央タンブル流Ｆｔｃが残存する。なお、点火プラグ１６は、図６に例示した通り、圧縮行程において運転シーンに応じたタイミングで、混合気に点火する。
【０１３３】
図１５（Ａ）は、図１４（Ｄ）の状態に相当する、燃焼室６の模式的な断面図（気筒軸を含み、吸気口と排気口との配列方向に沿った面での断面図）である。図１５（Ｂ）は、図１４（Ｄ）の状態からピストン５の上昇がさらに進んだ、圧縮ＴＤＣにおける燃焼室６の模式的な断面図（気筒軸を含み、吸気口と排気口との配列方向に沿った面での断面図）である。図１５（Ａ）に示す圧縮行程の後期の状態では、上述の通り、タンブル流Ｆｔは維持されている。
【０１３４】
その後、図１５（Ｂ）に示すように、圧縮ＴＤＣに至ると、タンブル流Ｆｔが一気に乱流Ｔｕに変換される。乱流Ｔｕは、タンブル流Ｆｔの形態で層流をなしていた混合気が、燃焼室６の空間縮小に伴って行き場を失い、混合気の各ガス成分がランダムな方向に移動することによって生じる。この時点では、ほぼタンブル流Ｆｔは消失している。タンブル流Ｆｔを可及的に維持して圧縮ＴＤＣ付近で一気に乱流Ｔｕに変換することで、ＳＩ燃焼の火炎伝播が高速化され、熱効率が向上する。このようなタンブル流Ｆｔの可及的な維持に、Ｒ／Ｂを上述の関係を満たすように設定する本実施形態に係るキャビティ５１は貢献している。
【０１３５】
〈スワール流〉
図１６（Ａ）〜（Ｄ）は、吸気行程におけるスワール流の流動を模式的に示す図である。図１６（Ａ）は、ピストン５が排気ＴＤＣの位置にある状態を示している。この状態では、吸気弁１１は開いておらず、吸気ポート９から新気は気筒２（燃焼室６）に流入していない。既述の通り、ＳＰＣＣＩ燃焼においてスワール流の形成が必要とされる際、スワール弁１７の開度が制限され、新気は専ら吸気ポート９Ａから導入される（図３）。
【０１３６】
図１６（Ｂ）は、ピストン５が排気ＴＤＣから４５ｄｅｇ程度下降した状態を示している。この状態では吸気弁１１は開かれ、ピストン５の下降に伴う圧力低下により、新気が吸気ポート９Ａから気筒２に流入する。このため、燃焼室６内でスワール流Ｆｓが生じる。ここで、吸気ポート９はタンブルポートであるので、スワール流Ｆｓはタンブル流の影響を受けて斜め下方向に下降する斜めスワール流となる。
【０１３７】
図１６（Ｃ）は、ピストン５が排気ＴＤＣから９０ｄｅｇ下降した状態である。スワール流Ｆｓは、斜め下向きに大きく旋回しながら、キャビティ５１に向かって進行している。図１６（Ｄ）は、ピストン５が排気ＴＤＣから１３５ｄｅｇ程度下降した状態である。スワール流Ｆｓの一部は、キャビティ５１内に入り込み、当該キャビティ５１にガイドされながら旋回している。
【０１３８】
図１７（Ａ）〜（Ｄ）は、圧縮行程におけるスワール流Ｆｓの流動を模式的に示す図である。図１７（Ａ）は、ピストン５が吸気ＢＤＣの位置にある状態を示している。吸気ＢＤＣ付近で吸気弁１１は閉じられ、燃焼室６内の混合気は圧縮され始める。この段階ではスワール流Ｆｓは、キャビティ５１によるガイド効果も相俟って、旋回しながら燃焼室天井面６Ｕに向けて斜め上方向に流動している。
【０１３９】
図１７（Ｂ）は、ピストン５が吸気ＢＤＣから４５ｄｅｇ程度上昇した状態を示している。スワール流Ｆｓは、燃焼室天井面６Ｕにガイドされるようにして、流動方向を斜め下方向に反転させて旋回している。これにより、再びスワール流Ｆｓはキャビティ５１に向かうことになる。
【０１４０】
図１７（Ｃ）は、ピストン５が吸気ＢＤＣから９０ｄｅｇ上昇した状態である。この圧縮行程中期まで、スワール流Ｆｓは斜めスワール流の状態を維持している。スワール流Ｆｓの一部は、キャビティ５１に入り込み、当該キャビティ５１でガイドされている。図１７（Ｄ）は、ピストン５が吸気ＢＤＣから１３５ｄｅｇ程度上昇した状態である。圧縮行程の後期に至ると、燃焼室６の容積が小さくなることに伴い、スワール流Ｆｓは斜め成分がほぼ消失した横スワール流の状態となる。
【０１４１】
図１８（Ａ）は、図１７（Ｄ）の状態に相当する、燃焼室６内におけるスワール流Ｆｓの発生状態を示す模式図である。図１８（Ｂ）は、圧縮ＴＤＣでの燃焼室６内におけるスワール流Ｆｓの発生状態を示す模式図である。図１８（Ａ）に示す圧縮行程の後期の状態では、キャビティ５１内およびキャビティ５１の外周側においてスワール流Ｆｓが維持されている。
【０１４２】
その後、図１８（Ｂ）に示すように、圧縮ＴＤＣに至ると、キャビティ５１の外周側のスワール流Ｆｓは消失するものの、キャビティ５１内においてはスワール流Ｆｓが維持される。スワール流Ｆｓを圧縮ＴＤＣ付近まで維持することで、前段のＳＩ燃焼を企図して点火プラグ１６付近で生じさせた火種を燃焼室６の周縁領域へ運搬させ、後段のＣＩ燃焼における圧縮着火を促進させることができる。
【０１４３】
［Ｒ／Ｂの好適な範囲］
キャビティ５１における、底部５１１の曲面の曲率半径Ｒと、ピストン５の直径（ボア径）Ｄの好適な範囲について、図１９および図２０を用いて説明する。
【０１４４】
図１９（Ａ）は、Ｒ／Ｂとスワール比との関係を示す効果図である。図１９（Ａ）に示すように、Ｒ／Ｂが大きくなるほどスワール比は上昇する。ここで、低回転域から高回転域までＳＰＣＣＩ燃焼を実現する上で３．４５以上のスワール比を確保することが必要となるが、図１９（Ａ）に示す通り、Ｒ／Ｂを“０．０”よりも大きくすることにより、これを達成することができる。即ち、キャビティ５１の底部５１１を平面ではなく凹没された曲面とすることにより、燃焼室６内で発生したスワール流をキャビティ５１内にガイドすることができ、３．４５以上のスワール比を実現することができる。
【０１４５】
図２０は、Ｒ／Ｂと幾何学的圧縮比との関係を示す効果図である。図２０に示すように、Ｒ／Ｂが大きくなるほど幾何学的圧縮比は低下する。そして、１５以上の幾何学的圧縮比を確保するためには、Ｒ／Ｂを“２．４２”以下とすればよいことが分かる。
【０１４６】
以上より、混合気の一部を火花点火によりＳＩ燃焼させるとともに、その他の混合気を自着火によりＣＩ燃焼させる部分圧縮着火燃焼を行う場合においては、０．０＜Ｒ／Ｂ≦２．４２の範囲で設定することにより、スワール流をキャビティ５１内にガイドし易くなり、３．４５以上のスワール比を実現することができるとともに、１５以上の幾何学的圧縮比の高圧縮比エンジンにおいて、圧縮行程の後期までスワール流を維持することができる。
【０１４７】
図１９（Ｂ）は、Ｒ／Ｂとタンブル比との関係を示す効果図である。図１９（Ｂ）に示すように、Ｒ／Ｂが大きくなるほどタンブル比も上昇する。ここで、低回転域から高回転域までＳＰＣＣＩ燃焼を実現するためには、上記のように３．４５以上のスワール比を確保するとともに、１．７９以上のタンブル比を確保することが必要となる。図１９（Ｂ）に示すように、Ｒ／Ｂを“１．０６”以上とすることにより、これを達成することができる。
【０１４８】
以上より、混合気を火花点火により燃焼させるＳＩ燃焼と、混合気の一部を火花点火によりＳＩ燃焼させるとともにその他の混合気を自着火によりＣＩ燃焼させる部分圧縮着火燃焼と、を併用する場合においては、１．０６≦Ｒ／Ｂ≦２．４２の範囲で設定することにより、スワール流およびタンブル流をキャビティ５１内にガイドし易くなり、３．４５以上のスワール比および１．７９以上のタンブル比を実現することができるとともに、１５以上の幾何学的圧縮比の高圧縮比エンジンにおいて、圧縮行程の後期までスワール流およびタンブル流を維持することができる。
【０１４９】
［変形例］
上記実施形態では、キャビティ５１における底部５１１について、＋Ｚ側からの平面視で略円形の形状を有することとしたが、本発明は、これに限定を受けるものではない。例えば、楕円形や長円形などの形状や、一部に角を有する形状などを採用することもできる。
【０１５０】
また、上記実施形態では、気筒軸ＡＸを含みＸ方向に沿った断面において、キャビティ５１の底面を底部５１１とＦ側周壁５１２ＦとＲ側周壁５１２Ｒとの３つの部位で構成することとしたが、本発明は、これに限定を受けるものではない。例えば、底部５１１とＦ側周壁５１２ＦおよびＲ側周壁５１２Ｒとを含む４つ以上の部位で底面を構成することなども可能である。
【０１５１】
また、上記実施形態では、キャビティ５１の底面において、底部５１１とＦ側周壁５１２ＦおよびＲ側周壁５１２Ｒとがそれぞれ接することとしたが、本発明は、これに限定を受けるものではなく、接しないこととしてもよい。
【０１５２】
また、上記実施形態では、ＩＮ側平面部５３の面積がＥＸ側平面部５４の面積よりも大面積であることとしたが、本発明は、これに限定を受けるものではない。例えば、ＩＮ側平面部の面積とＥＸ側平面部の面積とを略同じとすることや、ＥＸ側平面部の面積をＩＮ側平面部の面積よりも大面積とすることとしてもよい。
【０１５３】
また、上記実施形態では、ＩＮ側平面部５３およびＥＸ側平面部５４をともにＺ方向に直交する平面で構成することとしたが、本発明は、これに限定を受けるものではない。例えば、斜面で構成したり、曲面で構成したりすることも可能である。
【０１５４】
また、上記実施形態では、燃焼室天井面６Ｕを扁平なペントルーフ形で構成することとしたが、本発明は、これに限定を受けるものではない。例えば、より高いレシオのペントルーフ形とするもできる。これによってより強いタンブル流を形成するのに優位となる。
【０１５５】
また、上記実施形態では、吸気ポート９のうちの一方の吸気ポート（第２吸気ポート）９Ｂにだけスワール弁１７を設けることとしたが、本発明は、これに限定を受けるものではない。例えば、スワール弁を設けない構成や、両方の吸気ポートにスワール弁を設ける構成を採用してもよい。
【符号の説明】
【０１５６】
１  エンジン本体
２  気筒
５  ピストン
５Ａ  ピストンヘッド
５０  冠面
５１  キャビティ
５１１  底部（中央底面）
６  燃焼室
６Ｕ  燃焼室天井面
９  吸気ポート
１０  排気ポート
１５  インジェクタ
１６  点火プラグ
２０  ＥＣＵ
Ｒ  底部の曲面の曲率半径
Ｂ  ピストンの直径（ボア径）
【図１】
2020084793.tif 000003
【図２】
2020084793.tif 000004
【図３】
2020084793.tif 000005
【図４】
2020084793.tif 000006
【図５】
2020084793.tif 000007
【図６】
2020084793.tif 000008
【図７】
2020084793.tif 000009
【図８】
2020084793.tif 000010
【図９】
2020084793.tif 000011
【図１０】
2020084793.tif 000012
【図１１】
2020084793.tif 000013
【図１２】
2020084793.tif 000014
【図１３】
2020084793.tif 000015
【図１４】
2020084793.tif 000016
【図１５】
2020084793.tif 000017
【図１６】
2020084793.tif 000018
【図１７】
2020084793.tif 000019
【図１８】
2020084793.tif 000020
【図１９】
2020084793.tif 000021
【図２０】
2020084793.tif 000022